(57)【要約】      （修正有）【課題】容易に、かつ、安価に製造できる防獣フェンスを提供する。【解決手段】防獣フェンスは、下端部が地中に埋設され、地面に立てられる支柱部１１と、網目状に形成され、平面部が支柱部の伸延方向に平行になるように支柱部の地上の露出部に取り付けられるフェンス部と、支柱部の上端部に取り付けられ、フェンス部を吊り下げる吊り下げワイヤ１４と、支柱部の上端部及び支柱部の地上の露出部の下端部に取り付けられ、平面視がＵ字をなすＵボルト２２Ａ、Ｕボルトを挿通するボルト孔を有するプレート２２Ｂ、及び中心がナットの縦孔の軸上に位置するように取り付けられる略円形のリング部を有するアイナット２２Ｃを備える取付部２２と、端部にターンバックルを備え、アイナット２２Ｃのリング部に挿通されて隣接する支柱部の間に斜めに取り付けられる斜行ワイヤ１３と、を備える。【選択図】図４
0003214333.tif 000002
【実用新案登録請求の範囲】
【請求項１】
下端部が地中に埋設され、地面に立てられる支柱部と、
網目状に形成され、平面部が前記支柱部の伸延方向に平行になるように前記支柱部の地上の露出部に取り付けられるフェンス部と、
前記支柱部の上端部に取り付けられ、前記フェンス部を吊り下げる吊り下げワイヤと、
前記支柱部の上端部及び前記支柱部の地上の露出部の下端部に取り付けられ、平面視がＵ字をなすＵボルト、前記Ｕボルトを挿通するボルト孔を有するプレート、及び中心がナットの縦孔の軸上に位置するように取り付けられる略円形のリング部を有するアイナットを備える取付部と、
端部にターンバックルを備え、前記アイナットの前記リング部に挿通されて隣接する前記支柱部の間に斜めに取り付けられる斜行ワイヤと、
を備える防獣フェンス。
【請求項２】
前記フェンス部は、
前記支柱部の雪の圧力を受ける側に配置される請求項１に記載の防獣フェンス。
【請求項３】
前記斜行ワイヤは、
前記支柱部の前記フェンス部が設けられる側の反対側に設けられる請求項２に記載の防獣フェンス。
【考案の詳細な説明】
【技術分野】
【０００１】
本考案は、防獣フェンスに関する。
【背景技術】
【０００２】
防獣フェンスは主に山間部などにおいて鹿や猪などの獣の侵入を防止するために用いられる。
【０００３】
従来の防獣フェンスは、地中に下端部が埋設され、鉛直方向に立てられる複数の支柱部と、支柱部に取り付けられるフェンス部と、複数の支柱部の上端に取り付けられ、フェンス部を吊り上げる吊り上げワイヤと、二本の支柱部の間に斜めに張り渡される斜行ワイヤと、を備える。
【０００４】
ここで、斜行ワイヤは支柱部に取り付け金具を溶接し、溶接された取り付け金具に端部を接続して貼り渡されていた。
【０００５】
従って、溶接に係る手間やコストが製品価格を押し上げていた。
【先行技術文献】
【特許文献】
【０００６】
【特許文献１】特許第３８１１０９６号公報
【考案の概要】
【考案が解決しようとする課題】
【０００７】
本考案が解決しようとする課題は、容易に、かつ、安価に製造できる防獣フェンスを提供することである。
【課題を解決するための手段】
【０００８】
本考案は、下端部が地中に埋設され、地面に立てられる支柱部と、網目状に形成され、平面部が前記支柱部の伸延方向に平行になるように前記支柱部の地上の露出部に取り付けられるフェンス部と、前記支柱部の上端部に取り付けられ、前記フェンス部を吊り下げる吊り下げワイヤと、前記支柱部の上端部及び前記支柱部の地上の露出部の下端部に取り付けられ、平面視がＵ字をなすＵボルト、前記Ｕボルトを挿通するボルト孔を有するプレート、及び中心がナットの縦孔の軸上に位置するように取り付けられる略円形のリング部を有するアイナットを備える取付部と、端部にターンバックルを備え、前記アイナットの前記リング部に挿通されて隣接する前記支柱部の間に斜めに取り付けられる斜行ワイヤと、を備える防獣フェンスを提供する。
【考案の効果】
【０００９】
本考案によれば、容易に、かつ、安価に製造できる防獣フェンスを提供することができる。
【図面の簡単な説明】
【００１０】
【図１】防獣フェンスの正面図。
【図２】防獣フェンスの平面図。
【図３】アンカー付近の側面図。
【図４】支柱部の図１に示すＡの部分の拡大図。
【図５】支柱部の図１に示すＢの部分の拡大図。
【図６】取付部の分解斜視図。
【図７】吊り上げ金具の分解斜視図。
【考案を実施するための形態】
【００１１】
以下、本考案に係る防獣フェンス１の一実施形態を、図面を参照しながら説明する。
【００１２】
図１は防獣フェンス１の正面図、図２は防獣フェンス１の平面図である。図１は図２におけるＸ２矢視図、図２は図１におけるＸ１矢視図である。
【００１３】
図１及び図２に示すように、防獣フェンス１は、支柱部１１と、フェンス部１２と、吊り上げワイヤ１４と、斜行ワイヤ１３と、グランドメッシュ１６と、アンカー１７と、を備える。
【００１４】
支柱部１１は地中に下端部が埋設され、鉛直方向に立てられる。支柱部１１は一定間隔ごとに複数本設けられる。支柱部１１は金属製の管体によって形成されることが、剛性の確保と軽量化の点において望ましい。
【００１５】
フェンス部１２は金属製の棒状体を複数本縦横に溶接して矩形平面状の網状に形成される。フェンス部１２は支柱部１１の地上に露出している部分に、網状の平面部分が支柱部１１の伸延方向に対して平行になるように支柱部１１に溶接されて固定される。
【００１６】
防獣フェンス１は降雪が多い地方の道路等に設置される場合がある。この場合、フェンス部１２は、支柱部１１に対して獣の侵入を防ぎたい部分である道路と反対側、つまり雪の圧力が加わる山側に設置されることが、雪の圧力を支柱全体によって受けることができるという点において望ましい。
【００１７】
吊り上げワイヤ１４は、複数本の支柱部１１の上端部分に、図４に示すワイヤ取り付け部２１を介して、正面視横方向に張るように取り付けられる。吊り上げワイヤ１４は、フェンス部１２をフェンス部１２の上端部に設置される吊り上げ金具１５を介して正面視上方に向かって吊り上げる。
【００１８】
吊り上げワイヤ１４がフェンス部１２を吊り上げているため、倒木などがフェンス部１２の上方から押し被さった場合においてもフェンス部１２が下方につぶれることを防止できる。
【００１９】
斜行ワイヤ１３は、一端が図５に示すワイヤ取り付け部２１を介して支柱部１１の下端部に取り付けられ、途中の部分が支柱部１１の上端部又は下端部に設置される取付部２２（図４参照。）のアイナット２２Ｃのリングに挿通され、他端がワイヤ取り付け部２１を介して他の支柱部１１の地上に露出している部分の下端部付近に取り付けられる。
【００２０】
斜行ワイヤ１３は、隣接する２本の支柱部１１に互いに交差するように設けられる。つまり、斜行ワイヤ１３は、一端が支柱部１１の下端に取り付けられ、隣接する支柱部１１の上端と隣接する支柱部１１の下端とを交互に経由し、他端が他の支柱部１１の下端に取り付けられる。斜行ワイヤ１３はターンバックル１３Ａによって張られる。
【００２１】
斜行ワイヤ１３は支柱部１１に対してフェンス部１２が設置される側とは反対側、つまり獣の侵入を防ぎたい部分である道路側に設置されることが、雪の圧力によってフェンス部が道路側に膨らむことを防止できるという点において望ましい。
【００２２】
グランドメッシュ１６は金属又は合成樹脂によって網状に形成される。グランドメッシュ１６は一端がフェンス部１２より獣の侵入を防ぎたい部分の側にはみ出すように設置される。グランドメッシュ１６の他端は、フェンス部１２を潜るために獣が穴を掘る部分を覆うのに十分な長さだけ山側に向けて設置され、一定間隔ごとにアンカー１７が撃ち込まれて地面に固定される。グランドメッシュ１６は、全体が地面を這うように、フェンス部１２に沿って設置される。
【００２３】
図３は、アンカー１７付近の側面図である。図３に示すように、アンカー１７は上端部に下方に屈曲する爪部１７Ａを有する。アンカー１７は爪部１７Ａをグランドメッシュ１６に引っ掛けるようにして地面に固定される。
【００２４】
図４は支柱部１１の図１に示すＡの部分の拡大図、図５は支柱部１１の図１に示すＢの部分の拡大図、図６は取付部２２の分解斜視図である。図４から図６までの各図に示すように、支柱部１１の上端部にはワイヤ取り付け部２１と、取付部２２と、が取り付けられる。支柱部１１の下端部には取付部２２が単独に、又はワイヤ取り付け部２１と取付部２２とが合わせて取り付けられる。図５においては取付部２２が単独に取り付けられている例を示す。
【００２５】
ワイヤ取り付け部２１は、支柱部１１を周回する帯部２１Ａと、挿通孔及びボルト孔を有する突起部２１Ｂと、を備える。
【００２６】
帯部２１Ａには外側に凸となるふくらみが設けられる。突起部２１Ｂはボルト孔にボルトが挿通され、ナットによって締め付けられる。挿通孔には吊り下げワイヤ１４が挿通される。
【００２７】
斜行ワイヤ１３の一端には、両端部にフックを有するターンバックル１３Ａが取り付けられる。図５に示すように、斜行ワイヤ１３の一端はターンバックル１３Ａの一方のフックに取り付けられ、ターンバックル１３Ａの他方のフックはワイヤ取り付け部２１の挿通孔に引っ掛けられる。斜行ワイヤ１３の長さは容易に張ることができるという点において、例えば１００ｍであることが望ましい。
【００２８】
取付部２２は、平面視が半円の両端部を直線状に伸ばしたＵ字形状のＵボルト２２Ａと、二つのボルト孔を有する板形状のプレート２２Ｂと、アイナット２２Ｃと、通常のナット２２Ｄと、を備える。
【００２９】
アイナット２２Ｃは、ナットの側面に、中心がナットの縦孔の軸の延長線上、つまり軸上に位置するように取り付けられる略円形のリング部を有する。
【００３０】
取付部２２は、支柱部１１が内部に来るようにＵボルト２２Ａを配置し、ボルト孔にＵボルト２２Ａの先端を挿通させてプレート２２Ｂを取り付け、アイナット２２Ｃ及び通常のナット２２Ｄによってプレート２２Ｂを共締めすることにより支柱部１１に固定される。アイナット２２Ｃのリング部には斜行ワイヤ１３が挿通される。
【００３１】
図７は、吊り上げ金具１５の分解斜視図である。図６に示すように、吊り上げ金具１５は、ボルト１５Ａと、ナット１５Ｂと、Ｕ字板１５Ｃと、を備える。
【００３２】
Ｕ字板１５Ｃは、矩形の金属板を側面視がＵ字になるように曲線をもって折り曲げた形状をなす。Ｕ字板１５Ｃの互いに対向する平面部分にはボルト１５Ａを挿通するボルト挿通孔がそれぞれ設けられる。
【００３３】
吊り下げワイヤ１４及びフェンス部１２の上端部の横桟がＵ字板１５Ｃの湾曲部分に嵌められた状態によりボルト１５Ａがボルト挿通孔に挿通され、ナット１５Ｂが締め付けられる。
【００３４】
以上述べたように、本考案に係る防獣フェンス１は、下端部が地中に埋設され、地面に立てられる支柱部１１と、網目状に形成され、平面部が支柱部１１の伸延方向に平行になるように支柱部１１の地上の露出部に取り付けられるフェンス部１２と、支柱部１１の上端部に取り付けられ、フェンス部１２を吊り下げる吊り下げワイヤ１４と、支柱部１１の上端部及び支柱部１１の地上の露出部の下端部に取り付けられ、平面視がＵ字をなすＵボルト２２Ａ、Ｕボルト２２Ａを挿通するボルト孔を有するプレート２２Ｂ、及び中心がナットの縦孔の軸の延長線上に位置するように取り付けられる略円形のリング部を有するアイナット２２Ｃを備える取付部２２と、端部にターンバックル１３Ａを備え、アイナット２２Ｃのリングに挿通されて隣接する支柱部１１の間に斜めに取り付けられる斜行ワイヤ１３と、を備える。
【００３５】
従って、斜行ワイヤ１３を支柱部１１に取り付けるための部材を溶接する必要がなくなる。よって、本考案によれば、容易に、かつ、安価に製造できる防獣フェンスを提供することができるという効果がある。
【符号の説明】
【００３６】
１  防獣フェンス
１１  支柱部
１２  フェンス部
１３  斜行ワイヤ
１３Ａ  ターンバックル
１４  ワイヤ
１５  吊り上げ金具
１５Ａ  ボルト
１５Ｂ  ナット
１５Ｃ  Ｕ字板
１６  グランドメッシュ
１７  アンカー
１７Ａ  爪部
２１  ワイヤ取り付け部
２１Ａ  帯部
２１Ｂ  突起部
２２  取付部
２２Ａ  Ｕボルト
２２Ｂ  プレート
２２Ｃ  アイナット
２２Ｄ  通常のナット
【図１】
0003214333.tif 000003
【図２】
0003214333.tif 000004
【図３】
0003214333.tif 000005
【図４】
0003214333.tif 000006
【図５】
0003214333.tif 000007
【図６】
0003214333.tif 000008
【図７】
0003214333.tif 000009